(57)【特許請求の範囲】
【請求項１】
紙幣貯蔵室から紙幣が繰り出され、その紙幣が運搬装置により搬送され、紙幣の進行線とほぼ同方向に延びる一次保留装置に送り込まれ、この一次保留装置から紙幣が払出装置により紙幣口に送り出される紙幣払出装置において、
前記一次保留装置（10）は、紙幣(bi)の進行方向線(76r)に対しクロスする方向に延びるストッパ(622)と、紙幣の進行方向線(76r)とほぼ同方向に延びる側壁(621)と、紙幣(bi)の進行方向線(76r)に対して前記側壁(621)側へ傾斜するガイド壁(623)とで構成された紙幣保留部(625)と、紙幣保留部(625)の紙幣入口(626)に配置され、かつ、前記ストッパ(622)と周面(771s)との距離が紙幣(bi)の進行方向の長さよりも小さく設定されて配置された移送ローラ(771)とを含み、前記移送ローラ(771)が紙幣をその先端が前記ストッパ(622)に進行を阻止されるまで紙幣保留部に送り込み、かつ当該送り込まれた紙幣を進行方向線(76r)に対し横方向へ移動させて垂直状態で紙幣保留部（625）に保留可能とした紙幣払出装置の紙幣一次保留装置。
【請求項２】
前記移送ローラ（771）の下流に、紙幣（bi）を紙幣の進行方向線(76r)に対し横方向に偏奇する偏奇装置(640)を配置してなる請求項１の紙幣払出装置の紙幣一次保留装置。
【請求項３】
さらに、前記紙幣保留部（625）の紙幣入口（626）の下流に配置され、かつ、紙幣保留部（625）に沿って配置され、通常紙幣進行線（76ｒ）の反側壁（621）側に待機位置してあって、作動時に移動装置（710）によって紙幣進行線（76ｒ）を横断する前記側壁に（621）近づく一移送方向へ紙幣を押しやるためのプッシャー（701）を有する請求項１、２に記載の紙幣払出装置の紙幣一次保留装置。
【請求項４】
前記偏寄装置（640）が、棒スプリング（641）である請求項１ないし４の紙幣払出装置の紙幣一次保留装置。
【発明の詳細な説明】
【０００１】
【発明が属する技術分野】
本発明は、自動販売機や両替機等に用いられる紙幣払出装置や紙幣受入装置に関する。
さらに詳しくは、紙幣の払出し或いは受入れ時に紙幣を一カ所に一時保留する紙幣一時保留装置に関する。
なお、本明細書で使用する「紙幣」は、通貨である紙幣の他、小切手、クーポン券等の代用通貨及び類似のものをも包含する。
【０００２】
【従来の技術】
スタッカから取り出した紙幣を一時保留部に積み重ねて保留し、その積み重ねた紙幣を一括して払い出す一括払出装置が知られている。
この装置は、紙幣が積み重ねられるため、紙幣を落下させるための空間を十分取らなければならない。
結果として、ゲーム機の間に配置する小型の両替機等には適さない。
【０００３】
また、一方向に走行するベルトに載置される紙幣をストッパにより静止しておき、紙幣が所定枚数になったときにストッパを外すことにより一括して払い出す装置も知られている。
例えば、実開昭60-76469号参照方。
この装置は、紙幣が同一のベルトに載置されて搬送されるため、折れている紙幣がある場合、紙幣の端縁どうしが突き当たってシリーズに並んでしまい、整列されないことがある。
【０００４】
【発明が解決しようとする課題】
本発明の第１の目的は、小型であって、かつ、確実に紙幣を整列できる紙幣一時保留装置を提供することである。
本発明の第２の目的は、ゲーム機等の間に配置するに適した紙幣一時保留装置を提供することである。
本発明の第３の目的は、幅が狭い紙幣一時保留装置を提供することである。
【０００５】
これらの目的を達成するため、本発明は以下のように構成したものである。すなわち、紙幣貯蔵室から紙幣が繰り出され、その紙幣が運搬装置により搬送され、紙幣の進行線とほぼ同方向に延びる一次保留装置に送り込まれ、この一次保留装置から紙幣が払出装置により紙幣口に送り出される紙幣払出装置において、前記一次保留装置は、紙幣の進行方向線に対しクロスする方向に延びるストッパと、紙幣の進行方向線とほぼ同方向に延びる側壁と、紙幣の進行方向線に対して前記側壁側へ傾斜するガイド壁とで構成された紙幣保留部と、紙幣保留部の紙幣入口に配置され、かつ、前記ストッパと周面との距離が紙幣の進行方向の長さよりも小さく設定されて配置された移送ローラとを含み、前記移送ローラが紙幣をその先端が前記ストッパに進行を阻止されるまで紙幣保留部に送り込み、かつ当該送り込まれた紙幣を進行方向線に対し横方向へ移動させてほぼ垂直状態で紙幣保留部に保留可能とした紙幣払出装置の紙幣一次保留装置としたものである。
【０００６】
この構成において、紙幣保留部に送り込まれた紙幣は、その先端がストッパによって進行を阻止される。
紙幣の後端部は、移送装置によって紙幣進行線に対して横方向へ移送される。
【０００７】
したがって、次に送られてくる紙幣の端縁は、先に送り出された紙幣の端縁にぶつかって進行を阻止されることがない。
結果として、紙幣はシート面が接触した状態で整列される。
そして、紙幣は紙幣保留部の一側へ強制的に寄せられて整列されるので、多くのスペースを必要とせず、小型化できる。
【０００８】
本発明は、移送装置が、紙幣保留部の紙幣入口に配置され、かつ、ストッパと移送面との距離が紙幣の搬送方向の長さよりも小さく、さらに紙幣進行方向線に対し横方に移動する一方向移送装置であることが好ましい。
この構成において、紙幣の後端部は一方向移送装置に接し、その移動によって強制的に横方向へ移送され、シート面が接触した状態で整列される。
したがって、紙幣はシート面が接触した状態で整列されるので、前述同様装置を小型化できる。
【０００９】
本発明は、移動装置が、紙幣保留部の紙幣入口の下流に配置され、かつ、紙幣を紙幣進行線に対し横方向に偏倚する偏倚装置であることが好ましい。
この構成において、紙幣の後端部は偏倚装置によって強制的に横方向へ移送され、シート面が接触した状態で整列される。
したがって、紙幣はシート面が接触した状態で整列されるので、前述同様装置を小型化できる。
【００１０】
移送装置が、紙幣保留部の紙幣入口に配置され、かつ、ストッパと移送面との距離が紙幣の搬送方向の長さよりも小さく、さらに搬送方向線に対し横方向に移動する一方向移送装置と、一方向移送装置の下流に配置され、かつ、紙幣を前記横方向に偏倚する偏倚装置を有することが好ましい。
紙幣保留部に送られた紙幣の上端部は、偏倚装置によって強制的に一方向移送装置へ接触される。
【００１１】
一方向移送装置に接した紙幣は、一方向移送装置によって前記横方向へ強制的に送られる。
従って、カールして弧状になった紙幣は、その後端部が偏倚装置によって押されて一方向移送装置に強制的に接触させられる。
結果として、紙幣は一方向移送装置によって横方向へ移送され、シート面が接触した状態で整列される。
したがって、紙幣はシート面が接触した状態で整列されるので前述同様装置を小型化できる。
【００１２】
本発明は、紙幣の先端部を移送装置の移送方向にガイドするガイド装置を有することが好ましい。
この構成において、紙幣の先端部はガイド装置によって移送装置の移送方向へガイドされた後、ストッパにより進行を阻止される。
その後、移送装置によって紙幣の後端部が同方向へ移送されるので、紙幣は紙幣保留部において進行経路から外れて保留される。
【００１３】
結果として、紙幣はガイド装置及び移送装置によって順次横方向へずらされ、シート面が接触して整列された状態で一時保留される。
したがって、紙幣はシート面が接触した状態で整列されるので前述同様装置を小型化できる。
【００１４】
本発明は、一方向移送装置がローラであることが好ましい。
この構成において、一方向移送装置がローラであるので、構成が簡単であり、結果として、小型に出来、かつ、安価である。
【００１５】
本発明は、偏倚装置が、棒スプリングであることが好ましい。
この構成において、偏倚装置が棒スプリングであるので、構成が簡単であり、結果として、小型に出来、かつ、安価である。
【００１６】
本発明は、紙幣の進行線に対しクロスする方向に延びるストッパと、紙幣進行線とほぼ同方向に延びる側壁と、紙幣の進行方向線に対して前記側壁側へ傾斜するガイド壁とで紙幣保留部を形成し、紙幣を立てた状態で保留する紙幣保留装置と、紙幣保留装置の紙幣入口側に配置され、かつ、ストッパと周面との距離が紙幣の搬送方向の長さよりも小さい移送ローラと、紙幣進行経路において移送ローラの直ぐ下流に位置し、紙幣進行線に対しクロスしている棒スプリングとを有していることが好ましい。
【００１７】
この構成において、紙幣は移送ローラによって紙幣保留部へ送られる。
前記移送途上において、紙幣の先端は紙幣進行線に対しクロスするガイド壁によって移送ローラの移送方向に位置する側壁側へ案内されて後、ストッパにより進行を阻止される。
【００１８】
紙幣の後端部が棒スプリングによって移送ローラ側に偏倚されているので、その後端部は移送ローラの周面によって移送方向へ送られる。
紙幣は、そのシート面が接した状態で進行経路からずらされてほぼ平行に保留される。
【００１９】
次に送られて来る紙幣も同様に保留されるので、紙幣はシート面が接した状態で整列されて一時保留される。
結果として、紙幣は押し込まれてシート面が接した状態で一時保留されるので、保留エリアを減少することができ、装置を小型化できる。
【００２０】
本発明は、さらに、紙幣保留部の紙幣入口に配置され、かつ、紙幣一括払出前に紙幣を一方向移送方向へ押しやるプッシャーを有することが好ましい。
【００２１】
プッシャーは、紙幣一括払出前に紙幣を一方向移送方向へ押しやるので、折りぐせが付いた紙幣が一方向移送装置によって送られたにも関わらず戻ってしまった場合、再度確実に押しやることができる。
結果として、一括払い出し時に紙幣がジャムすることを防止できる。
【００２２】
【発明の実施の形態】
図1は、ゲーム機の間に実施例の紙幣一時保留装置を備えた紙幣払出装置を配置した斜視図である。
図2は、実施例の紙幣一時保留装置を備えた紙幣払出装置を右上方から見た斜視図である。
図3は、実施例の紙幣一時保留装置を備えた紙幣払出装置のカバーの一部を取り除いて左上方から見た斜視図である。
図4は、実施例の紙幣一時保留装置を備えた紙幣払出装置の図3におけるｘ面断面図である。
図5は、実施例の紙幣一時保留装置を右前上方から見た斜視図である。
図6は、実施例の紙幣一時保留装置を左後上方から見た斜視図である。
図7は、実施例の紙幣一時保留装置の紙幣保留部を右前上方から見た斜視図である。
図8は、プッシャ装置の平面図であって、(A)はプッシャが待機位置にある状態であり、(B)はプッシャが突出位置にある状態である。
【００２３】
図1においてg1、g2はパチンコ機、パチスロ機等のゲーム機である。
それらゲームの間の狭い隙間にはメダル等のゲーム媒体の貸出装置mが配置してある。
この貸出装置m内には、紙幣受入装置a、釣り銭用の紙幣払出装置p、ゲーム媒体払出装置nが配置してある。
貸出装置mの前面ドアmwは、筐体にヒンジで取り付けられており、ドアロック装置drを開錠することにより開くことができる。
【００２４】
すなわち、前面ドアmwを開くことにより、紙幣受入装置aからの紙幣回収作業や紙幣払出装置pへの紙幣補充作業、ゲーム媒体払出装置nへの媒体補充作業を行う。
紙幣受入装置aは、ドアmwに形成された紙幣受入口amを通してゲーム者が挿入する紙幣を受け入れる。
紙幣払出装置pは、ドアmwに形成した紙幣払出口pmを通して釣り札を払い出す。
ゲーム媒体払出装置nは、ドアmwに形成した払出口nmへゲーム媒体を払い出す。
【００２５】
本発明は、前記紙幣受入装置aにも適用できるが、紙幣払出装置pに適用した例を以下に説明する。
縦長ボックス状のケース2は、仕切板2bと2cとで上側の制御ボックス2d、中間の機構部ボックス2a及び下側のロック機構ボックス2eに区切られている。
機構部ボックス2aは、縦長であり、前面ドアmw側に金庫5装着用の開口20と、紙幣払出口pmに連なる払出口2fが形成されている。
【００２６】
図4に図示するように、機構部ボックス2aの内部空間には、紙幣貯蔵装置3、払出装置6と、搬送装置７及びリジェクト紙幣保留装置8が配置されている。
搬送装置7は後述の引出装置710と、運搬装置740と、振分装置720と、送込装置760と、リジェクト送込装置780と、を含んでいる。
払出装置6は、一時保留装置10に保留された紙幣biをほぼ垂直状態で紙幣払出口659へ払い出す。
【００２７】
紙幣貯蔵装置3と一時保留装置10とは紙幣biのシート面の延長方向にずらして配置されている。
具体的には、上下方向にずらして配置してある。
紙幣貯蔵装置3とリジェクト紙幣保留装置8とは紙幣biのシート面の延長方向にずらして配置されている。
具体的には、上下方向にずらして配置してある。
上位の紙幣貯蔵装置3と下位のリジェクト紙幣保留装置8とは一体化され、金庫5を構成している。
【００２８】
紙幣biは、そのシート面がほぼ垂直状態、すなわち立てた状態で紙幣貯蔵装置3に保留される。
紙幣biが垂直状態であれば、横長でも縦長でも紙幣の姿勢は問わない。
紙幣biを横長に保留した場合、紙幣払出装置pの高さを低くすることができる。
紙幣biを縦長で保留した場合、紙幣払出装置pの奥行きを短くできる。
本実施例は、紙幣biを横長に保留する例である。
なお、紙幣貯蔵装置3とリジェクト紙幣保留装置8とは別体でもよい。
【００２９】
搬送装置7は、そのシート面がほぼ垂直状態を保った状態で紙幣biを搬送し、払出装置6へ送り出す。
具体的には、引出装置710が紙幣貯蔵装置3から紙幣biを垂直状態で引き出して運搬装置740に受け渡す。
運搬装置740は、紙幣をほぼ垂直状態で運搬し振分装置720へ搬送する。
振分装置720は、紙幣貯蔵装置3から引き出された紙幣biが正常な場合、移送装置760に送り、異常な場合リジェクト送込装置780に送り込む。
【００３０】
移送装置760は、紙幣biをほぼ垂直状態で払出装置6の一時保留装置10へ送り込む。
リジェクト紙幣送込装置780は、リジェクト紙幣をほぼ垂直状態でリジェクト紙幣保留装置8に送り込む。
リジェクト紙幣保留装置8は紙幣biをほぼ垂直状態を保ったまま保留する。
金庫5はケース2に対し着脱自在であり、搬送装置7はケース2内に固定されている。
【００３１】
次に金庫5の構造を説明する。
紙幣貯蔵装置3は、基板300の上端部に固定した天板301の下方にある上方板370と、開口20側の前方板と、この前方板に相対している後方板303と、上方板370に相対している底板304と、保留ドア305とにより、例えば1000円紙幣を収納する紙幣保留室3bを構成している。
【００３２】
紙幣biは、紙幣保留室3b内に横長に、かつ、シート面をほぼ垂直に立てた状態で保留される。
天板301は、基板300の上端部を水平に折り曲げて形成される。
前方板と後方板303と底板304は基板300にスクリュウ等で固定されている。
【００３３】
紙幣保留室3b内には、紙幣よりも少し小さい矩形の紙幣押圧板328が配置してある。
紙幣押圧板328は、圧縮スプリング329により保留ドア305側へ付勢されている。
【００３４】
すなわち、内部に保留した紙幣biのシート面を保留ドア305に押し付けるようにしてある。
紙幣貯蔵装置3には、さらに、天板301と上方板370との間に、紙幣を１枚ずつ出すための１枚出し装置371が配置してある。
【００３５】
この１枚出し装置371は、規制体372の外周面と保留ドア305の上端部内面との間に紙幣１枚のみが通過できる間隙を形成する。
一枚出し装置371を紙幣保留室3bの長手方向に所定の間隔で複数、例えば3ユニット配置する。
【００３６】
次にリジェクト紙幣保留装置8の構造を説明する。
基板300の下部に固定した底板330、開口20側に固定した前方板、この前方板に相対している後方板332b、底板330に相対している天板334、リジェクトドア335及び基板300に平行に配置した板336とにより、紙幣保留室3bよりも収容枚数が少ないリジェクト紙幣室3cを構成している。
【００３７】
前方板と後方板332bと天板334は基板300にスクリュウ等で固定してある。
リジェクトドア335はリジェクト保留室3cを閉じる位置と、開口する位置に移動可能である。
すなわち、金庫5がケース2内にロックされているとき、リジェクトドア335が平行移動されてリジェクト保留室3cの上方のリジェクト紙幣受入開口333を開放する。
【００３８】
次に搬送装置7の構造を説明する。
引出装置710は、回転軸711と、回転軸711に固着したゴム製の引出ローラ712とを含んでいる。
回転軸711は、払出信号に基づいて引出モータ(図示せず)により回転される。
引出ローラ712は、約3分の1周が大径になった円筒形である。
【００３９】
また、引出ローラー712は高摩擦係数及び高耐摩耗性を有する弾性体、例えばEPDMゴムにより成形されている。
引出ローラ712は、反時計回り方向に回転されたとき、その一過程で保留ドア305の窓3wから紙幣保留室3b内に進入して保留されている紙幣biを摩擦力で上方へ引きずり上げる。
【００４０】
次に運搬装置740の構造を説明する。
搬送装置740は、紙幣貯蔵装置3の側方に配置される。
すなわち、ガイドローラ741と、その下方に配置したドライブローラ742と、それらローラ間に巻きかけた搬送ベルト743と、ガイドローラ741の上側のほぼ半周を所定の間隔を隔てて囲っている上側ガイド744と、上側ガイド744に回転自在に取り付けられ、かつ、搬送ベルト743に接触する第１プレスローラ745と、搬送ベルト743に隣接している上下方向に長い棒状のガイド板746とを含んでいる。
第１プレスローラ745が第1紙幣押付装置pr1である。
【００４１】
ドライブローラ742は、回転シャフト747に固着してある。
シャフト747は払出信号を受けると図外のモータにより回転される。
ガイドローラ741は、回転可能なシャフト749に固定されている。
【００４２】
ガイド板746はケース2に固定されており、このガイド板746にスライド可能に取り付けたシャフト754には第２プレスローラ753が回転自在に取り付けられ、搬送ベルト743に圧接している。
この第２プレスローラ753が第2紙幣押付装置pr2である。
ガイド板746の下端部は、Ｌ字状にドライブローラ742のほぼ４分の１周を取り囲むように曲げてある。
ガイド板746にシャフト748が移動可能に支持されている。
【００４３】
シャフト748には第３プレスローラ750が回転自在に取り付けられている。
第３プレスローラ750は板バネ(図示せず)によってドライブローラ742に押し付けられる。
この第３プレスローラ750が第3紙幣押付装置pr3である。
【００４４】
ガイドローラ741と、上側ガイド744と、搬送ベルト743と、ドライブローラ742、ガイド板746、第１プレスローラ745、第２プレスローラ753、第３プレスローラ750とでチャンネル状の運搬通路pを有する１つの運搬ユニット740uを構成している。
この運搬ユニット740uを紙幣保留室3bに沿って複数、この例では3ユニットを所定の間隔で配置して運搬装置740を構成している。
第1乃至第3紙幣押付装置pr1〜pr3は、それらのうち少なくとも１つが搬送ベルト743に搬送中の紙幣biを圧接するように間隔を設定してある。
【００４５】
運搬通路pは、ガイドローラ741上の搬送ベルト743の上側半分と上側ガイド744とで構成されたほぼ半円形の半円通路p1を含んでいる。
ほぼ垂直の搬送ベルト743とガイド板746とで垂直通路p2を構成している。
ドライブローラ742のほぼ４分の１周とガイド板746の下部とでほぼ水平方向に方向転換する転換通路p3を構成している。
【００４６】
半円通路p1の中間に反射型のセンサs1、垂直通路p2の上端部に反射型のセンサs2及びセンサs3を配置してある。
センサs2とs3は、図面の垂直方向に並列配置されている。
【００４７】
次に振分装置720の構造を説明する。
そらせ板722は、シャフト724を軸に回動自在である。
シャフト724は、ケース2に取り付けられている。
また、そらせ板722は、図外のソレノイドにより選択的に、ガイド板746の下部との間に弧状案内通路p4を形成する払出位置と、図4に実線示した案内通路p4を形成しないリジェクト位置とに選択的に位置される。
【００４８】
次に送込装置760の構造を説明する。
送込装置760は、送りローラ771と第４プレスローラ775を有する。
送りローラ771は、シャフト773に固定されている。
第４プレスローラ775は、そらせ板722の下端部に回転自在に支持されている。
【００４９】
送りローラ771と第４プレスローラ775とで１つのユニットを構成し、紙幣保留室3bに沿って複数ユニット配置してある。
シャフト773は、ドライブシャフト747から回転される。
送込装置760の直下の紙幣通路の一側に反射型の送込センサS4が配置してある。
【００５０】
次にリジェクト送込装置780を説明する。
リジェクト送込装置780は、ドライブローラ781と第５プレスローラ782を有する。
ドライブローラ781は、シャフト783に固定されている。
第５プレスローラ782は、金庫5に取り付けられたシャフト784に回転自在に支持されたレバー785の先端に回転自在に取り付けてある。
【００５１】
金庫5がケース2にロックされたとき、レバー785が反時計回り方向に回動され、第５プレスローラ782が金庫5内から突出されてドライブローラ781に接触される。
これらドライブローラ781と第５プレスローラ782とで１つのユニットを構成し、紙幣保留室3bに沿って複数ユニット配置してある。
【００５２】
シャフト783は、ドライブシャフト747によって回転駆動される。
リジェクト送込装置780の直下の紙幣通路の一側に反射型のセンサs5が配置される。
リジェクトガイド板725は、その一端部がドライブローラ742の間に配置され、そらせ板722上面との間に直線状のリジェクト通路rp1を形成する。
弧状ガイド板726は、ドライブローラ781との間に弧状リジェクト通路rp2を形成し、金庫5に固定されている。
【００５３】
次に払出装置6の構造を図4〜8を参照して説明する。
払出装置6は、紙幣一時保留装置610と、紙幣押出装置660とを有している。
紙幣一時保留装置610は、紙幣保留装置620、移送装置629、ガイド装置650及びプッシャー700から構成される。
移送装置629は、一方向移送装置630及び偏倚装置640、または一方向移送装置630又は偏倚装置640の一つにより構成される。
【００５４】
先ず紙幣保留装置620の構造を説明する。
送込装置760による紙幣biの進行線76rと同方向に延びる平板状の側壁621が送りローラ771の下方にほぼ垂直に配置され、仕切板2cに固定される。
板バネを櫛歯形にしたストッパ622は、側壁621の下端部側方に片持ち状態に固定される。
したがって、ストッパ622は進行線76rに対しオフセットしたところの送りローラ771の下方に配置される。
さらに、ストッパ622は進行線76rに対しクロスする方向に延びている。
【００５５】
側壁621に対面し、かつ所定の間隔を空けてガイド壁623が配置される。
ガイド壁623は、進行線76rに対し前記側壁621側へ傾斜し、その上端部は進行線76rにクロスする方向に延びている。
ガイド壁623に続いて側壁621に対し平行な第２側壁624が配置されている。
第２側壁624は、進行線76rよりも側壁621側であって、かつ、送りローラ771の下方に位置している。
【００５６】
送りローラ771は、一方向移送装置630を兼ねている。
すなわち、送りローラ771の周面771sの下面とストッパ622との距離は、紙幣biの搬送方向の長さよりも僅かに小さく設定されている。
なぜなら、紙幣biはストッパ622と送りローラ771との間を通過するときベンドされる。
【００５７】
距離が小さいほどそのベンド量が大きくなるため、そのベンド部の収納部を設けなければならない。
これにより、装置を小型化できない。
前記距離が80パーセント以上の場合、紙幣9枚分のスペース内でベンドが可能である。
紙幣9枚分は、日本円を用いる場合に、一万円紙幣を受け入れ、釣り銭として千円紙幣9枚を払い出すケースである。
【００５８】
本実施例の場合、紙幣biは幅方向に搬送されるため、紙幣biの幅に対し98パーセントに設定してある。
側壁621、ガイド壁623、ストッパ622、第2側壁624及び送りローラ771で囲まれた空間が紙幣保留部625である。
紙幣保留部625は、紙幣進行線76rよりも側壁621側にオフセットしている。
【００５９】
紙幣保留部625の前方端部は紙幣口659である(図8参照)。
紙幣保留部625の紙幣入口626は、送りローラ771と第４プレスローラ775の接触部である。
【００６０】
ガイド壁623と第２側壁624とがガイド装置650である。
ガイド壁623は棒体を所定の間隔で配置して構成してもよい。
ガイド装置650は、送られてきた紙幣biの先端部を側壁621側へ誘導する機能を有している。
【００６１】
また、一方向移送装置630は、側壁621側へ進行するベルトや、側壁621側へ紙幣を押しやる空気流であってもよい。
一方向移送装置630は、紙幣biの後端部を側壁621側へ移送する機能を有している。
【００６２】
紙幣入口626の直下に偏倚装置640が配置されている。
この偏倚装置640は移送装置629の変形例でもある。
偏倚装置640は自由端部をフック状に曲げた棒スプリング641である。
棒スプリング641の他端は、第４プレスローラ775の下方において板642に固定されている。
板642は、仕切板2cに固定されたブラケット711に固定されている。
【００６３】
棒スプリング641は、側壁621に向かって僅かに下向きに傾斜しており、進行線76rに対してクロスして配置され、先端部が送りローラ771の下方に配置される。
棒スプリング641は、紙幣保留部625の横方向に所定の間隔で所定数配置される。
【００６４】
本実施例において、棒スプリング641は4本配置されている。
偏倚装置640は、空気流を用いることができる。
すなわち、偏倚装置640は、紙幣biの後端部(図4において上端部)を進行線76rに対し横方向(側壁621側)へ移動させる機能を有している。
【００６５】
次にプッシャー装置700を図8を参照して説明する。
プッシャ装置700は、プッシャ701と、その移動装置710と、移動装置710の駆動装置720を含んでいる。
プッシャ701は紙幣入口626の側方であって、かつ、紙幣保留部625に沿って配置された平板であり、通常、紙幣進行線76rの反側壁621側の待機位置に位置している。  プッシャ701は、移動装置710によって、紙幣進行線76rを横断して側壁621へ近づいた押し込め位置と第４プレスローラ775下方の待機位置との間を移動可能である。
【００６６】
移動装置710は、四節平行リンク機構である。
送りローラ771の下方に水平に配置されたブラケット711に固定したピン712に、ブーメラン形の一対のレバー713が回動自在に支持されている。
【００６７】
レバー713の他端部に固定されたピン714にプッシャ701が回動可能に支持されている。
すなわち、プッシャ701、一対のレバー713及びブラケット711とで四節平行リンクを構成している。
結果として、プッシャ701は、側壁621と平行状態を保ったまま、側壁621に対し、接近したり、離れたりできる。
【００６８】
次に移動装置710の駆動装置720を説明する。
平板状のスライドプレート721がスライド可能に、ブラケット711に取り付けられている。
すなわち、ブラケット711に固定された一対のピン722がスライドプレート721の一対の長孔723をそれぞれ貫通している。
結果として、スライドプレート721は一対のピン722に案内されて紙幣保留部625に沿ってスライド可能である。
【００６９】
スライドプレート721に、側壁621方向へ延びる一対の長孔724が形成されている。
レバー713の屈曲部に固定された一対のピン725が、長孔724にそれぞれ挿入されている。
したがって、スライドプレート721の位置に応じて長孔724及びピン725を介してレバー713がピン712を中心に回動される。
【００７０】
スライドプレート721の後端部にレバー726の上端部がピン727によってピボット結合されている。
レバー726の下端部は、固定軸729に対して回動可能である。
レバー726の中間に、横方向の側壁621に向かって延びる一対のバー728a、728bが上下関係に固定されている。
【００７１】
これらバー728a、278bは、側壁621の長孔729a、729bを通って後述の突起679の進行経路に位置している。
すなわち、突起679がバー728aを押したときにスライドプレート721が紙幣払出口659側へ移動され、結果としてプッシャ701が側壁621側へ移動される。
突起679がピン728bを押したとき、スライドプレート721が紙幣払出口659の反対側へ移動され、結果としてプッシャ701が側壁621から離され、待機位置に戻される。
【００７２】
次に紙幣押出装置660の構造を図6及び図7を参照して説明する。
側壁621には紙幣保留部625に沿って伸びる長孔662a、662bが上下に平行に形成されている。
長孔662aを通って第１押出片663aが紙幣保留部625に水平に突出している。
同様に長孔662bを通って第２押出片663bが紙幣保留部625に水平に突出している。
第１及び第２押出片663a、663bに固定された平板664が、側壁621に沿ってスライド可能である。
【００７３】
次に、第１及び第２押出片663a、663bの支持装置671を説明する。
側壁621の上端から水平方向に、かつ、紙幣保留部625の長手方向に間隔を空けて突出する一対のステー671fと671bの下面側に丸棒状の上側ガイドレール672uを固定してある。
【００７４】
同様に、側壁621の下端から突出する一対のステー673fと673bの上面側に丸棒状の下側ガイドレール672Lを固定してある。
第１及び第２押出片663a及び663bとをスライドベース674に固定し、一体化してある。
第１押出片663aに、周面が鼓形のガイドローラ675f、675bが回転自在に取り付けてある。
【００７５】
第２押出片663bには周面が鼓型のガイドローラ676f、676bが回転自在に取り付けてある。
これらガイドローラは、前記上側ガイドレール672uと下側ガイドレール672Lとの間に挿入することにより、それらに案内されつつ側壁621に沿って移動できる。
【００７６】
次に紙幣押出装置660の駆動機構690を説明する。
側壁621の背面に固定した軸683にタイミングベルトプーリ677fが回転自在に取り付けられている。
側壁621に固定した減速機付きモータ684の駆動軸685にはタイミングベルトプーリ677bが固定されている。
【００７７】
これらタイミングベルトプーリ677fと677b間に、タイミングベルト678が巻掛けられている。
タイミングベルト678の外周面には１つの突起679が形成されている。
スライドベース674の背面には、突起680を有する上被動体681uと突起682を有する下被動体681Lが固定してある。
【００７８】
これにより、タイミングベルト678が時計回りに進行し、突起679が突起680を押すことによりスライドベース674を図6において右方に移動させることができる。
また、突起679は、バー728aを押して図6において右方へ移動させる。
また、突起679が下側にある場合、突起679が突起682を押すことによりスライドベース674を図6において左方に移動させることができる。
さらに、突起679はバー729bを押して図6において左方へ移動させる。
【００７９】
支持装置671が長孔662a、662bの前方端部(図6において右方)に押し出されたことを検知するための押出センサs7が側壁621に固定されている。
リターンセンサS8は、支持装置671が最後方に戻ったことを検知するためのセンサである。
押出センサs7とリターンセンサs8は透過形の光電センサであり、第１押出片663aの突出部を検知する。
【００８０】
図6に示すように、紙幣口659の近くに、薄板よりなる矩形の防護プレート686が配置されている。
防護プレート686は、側壁621に固定された縦方向に延びるシャフト689に回動自在に取り付けられ、かつ、トーションスプリング801によってその先端部が出口ガイド802に接触するよう付勢される。
【００８１】
出口ガイド802は、樹脂で成形され、外形が台形状である。
その斜面803は、防護プレート686と共に紙幣口659の前方に三角形の案内空間804を形成している。
案内空間804を接触子805が横断するよう払出センサs9が出口ガイド802に固定されている。
出口ガイド802は、ブラケット711に固定されている。
センサs10は、スライドプレート721が待機位置に戻ったことを検知する透過形の光電センサであり、側壁621に固定されている。
【００８２】
次に作用を説明するが、説明を簡単にするため、紙幣二枚を払い出すケースを例にする。
まず、正常に紙幣biが払い出されるケースを説明する。
紙幣の払出信号によって図示しないモーターが回転され、運搬装置740が作動される。
すなわち、シャフト747、したがってドライブローラ742が回転され、搬送ベルト743が図4において反時計方向に循環される。
【００８３】
また、シャフト773を介して送りローラ771が時計方向に回転される。
また、シャフト783を介してドライブローラ781が時計方向に回転される。
運搬装置740が作動を開始した後、別のモーターが作動され、回転軸711が反時計方向に一回転される。
【００８４】
この回転により引出ローラー712の周面が反時計方向に回転する途中に、窓3wから紙幣保留室3b内に進出して摩擦力で最外側の紙幣biをほぼ垂直上方へ引きずり上げる。
引きずり上げられた紙幣biの上端は、保留ドア305と一枚出し装置371の規制体372との間に進入する。
【００８５】
もし、紙幣biが二枚一緒に引きずり上げられた場合、友連れされた二枚目の紙幣biは、規制体372によって通過を阻止され、最も保留ドア305側の紙幣biのみが紙幣保留室3b外へ引き出される。
次いで、紙幣biは搬送ベルト743と上側ガイド744との間の半円通路p1を進行する。
【００８６】
センサs1は、紙幣biの通過を検知し、検知信号を出力する。
次に、紙幣biの先端部は、第１プレスローラ745と搬送ベルト743との間に挟まれる。
ガイドローラー741を半周した紙幣biは、搬送ベルト743とガイド板746との間の垂直通路p2をシート面がほぼ垂直状態で下方へ進行する。
【００８７】
センサs2及びs3は、紙幣biの検知信号を出力する。
また、センサs2又はセンサs3が紙幣biを検知し始めてからセンサs1が検知信号を出力しなくなるまでの時間を計時することにより、紙幣の長さを判定する。
すなわち、計時時間が所定範囲内にある場合、正常であると判定し、所定範囲を外れた場合、異常であると判定する。
もし、センサs1及びs2又はs3から検知信号が出力されなかったり、検知信号が所定時間以上出力された場合、異常と判定して、紙幣払い出し処理は中止される。
【００８８】
もし、紙幣biが正常であると判定された場合、ソレノイド(図示せず)が励磁される。
このソレノイドの励磁により、シャフト724が時計方向へ回動され、そらせ板722は図4の位置よりも時計方向へ回動される。
結果として、ガイド板746の下端部とそらせ板722との間に弧状案内通路p4が形成され、かつ、第４プレスローラ775が送りローラ771に接触される。
【００８９】
垂直通路p2を下方に進行して来た紙幣biは、第２プレスローラ753に続いて第３プレスローラ750と搬送ベルト743との間に挟まれて送られる。
そして紙幣biは、転換通路p3に続いて弧状案内通路p4に案内され、そして送りローラ771と第４プレスローラ775との間に進入する。
【００９０】
紙幣biは、送りローラ771と第４プレスローラ775とに挟まれて下方に進行線76rに沿って送り出され、紙幣一時保留装置610の紙幣保留部625に達する。
この紙幣保留部625へ紙幣biが送り込まれるときのプロセスを詳述する。
ます、進行線76rに沿って進行する紙幣biの先端が、棒スプリング641に接触する。
【００９１】
棒スプリング641が側壁621側へ下向きに傾斜していることによって紙幣biの先端が側壁621側へ誘導され、側壁621、棒スプリング641、ガイド壁623及び第２側壁624に案内されつつ下方へ移動する。
紙幣biの後端(図4において上端部)が送りローラ771と第4プレスローラ775との間を通過した直後に紙幣biの先端がストッパ622に進行を阻止される。
【００９２】
これにより、紙幣biの後端は、棒スプリング641によって送りローラ771へ押し付けられること、及び、送りローラ771の周面771sの左方への移動によって横方向の側壁621側へ移送される。
結果として、紙幣biは、進行線76rの側方に移動されて、側壁621に沿ってシート面が垂直状態で貯蔵される。
この後、そらせ板722が元の位置(図4の位置)に戻る。
これにより、紙幣１枚目の一時保留作業が完了する。
【００９３】
送込センサs4は、紙幣biの先端が前方に位置したときから検知信号を出力し、前述したように後端部が側壁621側へ移動されて所定距離離れたときに検知信号の出力を中止する。
もし、送込センサs4が検知信号を出力しない場合、及び検知信号が所定時間以上出力されている場合、紙幣biがジャムしたと判定してそれ以降の自動作業は中止される。
【００９４】
次に、二枚目の一時保留作業を行う。
すなわち、センサs4からの紙幣なし信号をトリガーとして前述のように引出ローラー712が１回転される。
これにより紙幣biが紙幣保留部3bから引きずりあげられる。
紙幣biは前述同様搬送通路p1、p2を運搬される。
【００９５】
センサs1、s2及びs3から異常信号が出力されなければ、そらせ板722が前述の位置に移動される。
これにより一枚目と同様、紙幣biは送込装置760によって紙幣保留部625に送り込まれる。
二枚目の紙幣biも一枚目の紙幣bi同様に棒スプリング641、一枚目の紙幣bi、ガイド壁623及び第２側壁624に案内されつつ、一枚目の紙幣biのガイド壁623側にシート面が接触した状態で整列される。
【００９６】
センサs4からの検知信号がカウントされて紙幣保留部625における紙幣保留枚数が間接的に検知されている。
したがって、カウント数が2になったので、ドライブローラ742の回転が停止され、モーター684が図6において時計方向に回転される。
【００９７】
ベルト678は、突起679がバー728bを押して、スライドプレート721がセンサs10で検知されたときにモータ684が停止され、その状態で待機している。
したがって、突起679は長孔729bの端部で進行を阻止されているバー728bをベルト678が撓むことにより乗り越えて通過し、プーリー677bを回って後、バー728aを紙幣出口659側へ押す。
バー728aは紙幣出口659側へ移動し、長孔729aの端部にストップされる。
【００９８】
これにより、スライドプレート721が同方向へ移動されるため、進行経路76rを横切って棒スプリング641の先端部よりも側壁621側へプッシャ701が移動される。したがって、もし、折り癖の付いた紙幣biの上端部が自己のスプリング力により戻って入口626の下方に位置している場合であっても、側壁621近傍へ強制的に移動される。
【００９９】
バー728aがストップされた後もモータ684の回転が継続され、ベルト678が撓み、突起679はバー728aの下方を通過して突起680を押す。
これにより、スライドベース674を介して第１押出片663a、第２押出片663bが紙幣口659側へ移動される。
そして、第１押出片663a及び第２押出片663bがそれぞれ長孔662a及び662bの端部によって停止される。
このとき、押出センサs7が第１押出片663aを検知し、検知信号を出力するので、モータ684は停止される。
【０１００】
第１押出片663a、第２押出片663bに押された二枚の紙幣biは、上端部が側壁621とプッシャ701に規制され、かつ、下端部が側壁621と第２側壁624に規制された状態で紙幣口659へ移動される。
そして紙幣biは、紙幣口659、出口空間804を通過し、防護プレート686を時計方向へ回動させて出口ガイド802とプレート686との間を通過し、ケース2の払出口2fを通って紙幣払出口pmから紙幣長さの約３分の１が突出する。
【０１０１】
このとき、接触子805が紙幣biによって移動され、抜取センサs9が紙幣信号を出力する。
すなわち、前記紙幣biが突出した状態でゲーム者による紙幣biの引き取りを待つ。
ゲーム者が紙幣払出口pmから紙幣biを抜き取ると、接触子805が元に復帰し、抜取センサs9は紙幣信号を出力しなくなる。
この信号をトリガーにしてモーター684は再び回転される。
【０１０２】
これにより、タイミングベルト678はさらに時計方向に移動されるので、タイミングベルト679が撓んで突起680の下側を突起679が通過する。
この後、突起679が突起682を押すので、第１押出片663a、第２押出片663bは図6において左方向へ移動され、長孔662a及び662bの端部によって停止される。
このとき、リターンセンサs8が第１押出片663aを検知し、検知信号を出力する。
【０１０３】
もし、リターンセンサs8が検知信号を出力しない場合、第１押出片663a及び第２押出片663bが途中で止まっている異常状態であると判定し、以降の処理を停止する。
引き続くモータ684の回転により、突起679は突起682を乗り越えて通過する。
【０１０４】
突起679は、バー728bを左方へ(図6)押すので、スライドプレート721も同方向へ移動される。
結果として、プッシャ701が待機位置に戻される。
バー728bが長孔729bの端部にストップされた位置でセンサs10がスライドプレート721の検知信号を出力するので、この信号によってモータ684が停止され、待機状態になる。
【０１０５】
これにより２枚の紙幣払出処理が終了する。
２枚以上の所定枚数を払い出す場合、紙幣保留部625に紙幣biが所定枚保留されるまで前記引き出しから保留までの作業を所定回行う。
上記実施例において、紙幣押出装置660とプッシャ装置700とが、同一の駆動機構690によって、駆動される。
結果として、構造が簡単であり、かつ、高価でない。
なお本発明は、本発明の趣旨の範囲で適宜変更可能である。
【０１０６】
【図面の簡単な説明】
【図１】図1は、ゲーム機の間に実施例の紙幣一時保留装置を備えた紙幣払出装置を配置した斜視図である。
【図２】図2は、実施例の紙幣一時保留装置を備えた紙幣払出装置を右上方から見た斜視図である。
【図３】図3は、実施例の紙幣一時保留装置を備えた紙幣払出装置のカバーの一部を取り除いて左上方から見た斜視図である。
【図４】図4は、実施例の紙幣一時保留装置を備えた紙幣払出装置の図3におけるｘ面断面図である。
【図５】図5は、実施例の紙幣一時保留装置を右前上方から見た斜視図である。
【図６】図6は、実施例の紙幣一時保留装置を左後上方から見た斜視図である。
【図７】図7は、実施例の紙幣一時保留装置の紙幣保留部を右前上方から見た斜視図。
【図８】図8は、プッシャ装置の平面図であって、aはプッシャが待機位置にある状態であり、bはプッシャが突出位置にある状態である。
【符号の説明】
bi                紙幣
6                紙幣保留装置
10                偏倚装置
76r              紙幣進行線
610              紙幣保留部
621              側壁
622              ストッパ
623              ガイド壁
626              紙幣入口
630              一方向移送装置
641              棒スプリング
650              ガイド装置
760              移送装置
700              プッシャー
771              移送ローラー
771s              移送面
【図１】
0004099750.tif 000002
【図２】
0004099750.tif 000003
【図３】
0004099750.tif 000004
【図４】
0004099750.tif 000005
【図５】
0004099750.tif 000006
【図６】
0004099750.tif 000007
【図７】
0004099750.tif 000008
【図８】
0004099750.tif 000009